(57)【要約】      （修正有）【課題】ズボンやジャケット等の釣服に係り、服本体に設けた収納部内に発泡材シートからなるパッドを収納した釣服に改良を加え、パッドのずれを防止した釣服を提供する。【解決手段】服本体１に設けた収納部３７、３９内に発泡材シートからなるパッド１５，１７を収納した釣服に於て、前記収納部３７、３９を、前記服本体１に当て部材３５を取り付けて形成し、前記パッド１５，１７の周縁部を、服本体または当て部材３５のいずれか一方に止着したことを特徴とする。また、服本体に設けた収納部内に発泡材シートからなるパッドを収納した釣服に於て、前記収納部３７、３９を、前記服本体１を形成する表地３と裏地とで形成し、前記パッドの周縁部を、服本体の表地３または裏地のいずれか一方に止着したことを特徴とする。【選択図】図１
2010126836.tif 000002
【特許請求の範囲】
【請求項１】
服本体に設けた収納部内に発泡材シートからなるパッドを収納した釣服に於て、
前記収納部を、前記服本体に当て部材を取り付けて形成し、前記パッドの周縁部を、服本体または当て部材のいずれか一方に止着したことを特徴とする釣服。
【請求項２】
服本体に設けた収納部内に発泡材シートからなるパッドを収納した釣服に於て、
前記収納部を、前記服本体を形成する表地と裏地とで形成し、前記パッドの周縁部を、服本体の表地または裏地のいずれか一方に止着したことを特徴とする釣服。
【請求項３】
前記パッドの周縁部を、間隔を空けて複数箇所で止着したことを特徴とする請求項１または請求項２に記載の釣服。
【請求項４】
前記パッドの周縁部に止着片を取り付け、該止着片を介してパッドを止着したことを特徴とする請求項１乃至請求項３のいずれか１項に記載の釣服。
【請求項５】
前記パッドの周縁部を、補強片で覆ったことを特徴とする請求項１乃至請求項３のいずれか１項に記載の釣服。
【請求項６】
前記パッドは、該パッドを収納する収納部の外形形状に沿って形成されていることを特徴とする請求項１乃至請求項５のいずれか１項に記載の釣服。
【発明の詳細な説明】
【技術分野】
【０００１】
本発明は、ズボンやジャケット等の釣服に関する。
【背景技術】
【０００２】
釣場に於て、釣人は膝をついたり腰を下ろしたり、肘をついて身体を支える等、様々な姿勢で釣りを行うため、膝や肘等、釣りをするときに地面につき易い部分に収納部を設け、この収納部内に発泡材シートからなる緩衝用のパッドを収納した釣服が知られている。
【０００３】
また、特許文献１には、ズボン本体の膝部の内側に膝当て（当て部材）を取り付けて、クッション用スポンジ（以下、「スポンジ」という）の挿入口が開口する袋状の収納部を設け、作業者が膝をついて作業するときに挿入口から収納部内にスポンジを挿入し、スポンジが不要なときは、挿入口からスポンジを取り出すことができるようにした作業用ズボンが提案されている。
【特許文献１】実開昭６２−１１４０１１号公報
【発明の開示】
【発明が解決しようとする課題】
【０００４】
しかし乍ら、このように袋状の収納部内にスポンジを着脱自在に収納した構造では、例えば膝を曲げ伸ばしたり、膝をついた状態で身体を動かしたりするうちに、スポンジの位置が全体的にずれたり、角が捲れてスポンジが部分的に重なりあって小さく丸まってずれることで、緩衝材としての機能が損なわれてしまう虞があった。
【０００５】
また、従来の釣服に於ても、同様に膝や肘等の収納部内に収納したパッドが、膝や肘の曲げ伸ばし等でずれてしまう虞があった。
【０００６】
本発明は斯かる実情に鑑み案出されたもので、服本体に設けた収納部内に発泡材シートからなるパッドを収納した釣服に改良を加え、パッドのずれを防止した釣服を提供することを目的とする。
【課題を解決するための手段】
【０００７】
斯かる目的を達成するため、請求項１に係る発明は、服本体に設けた収納部内に発泡材シートからなるパッドを収納した釣服に於て、前記収納部を、前記服本体に当て部材を取り付けて形成し、前記パッドの周縁部を、服本体または当て部材のいずれか一方に止着したことを特徴とする。
【０００８】
また、請求項２に係る発明は、服本体に設けた収納部内に発泡材シートからなるパッドを収納した釣服に於て、前記収納部を、前記服本体を形成する表地と裏地とで形成し、前記パッドの周縁部を、服本体の表地または裏地のいずれか一方に止着したことを特徴とする。
【０００９】
更にまた、請求項３に係る発明は、請求項１または請求項２に記載の釣服に於て、前記パッドの周縁部を、間隔を空けて複数箇所で止着したことを特徴とし、請求項４に係る発明は、請求項１乃至請求項３のいずれか１項に記載の釣服に於て、前記パッドの周縁部に止着片を取り付け、該止着片を介してパッドを止着したことを特徴とする。
【００１０】
一方、請求項５に係る発明は、請求項１乃至請求項３のいずれか１項に記載の釣服に於て、前記パッドの周縁部を補強片で覆ったことを特徴とする。
【００１１】
そして、請求項６に係る発明は、請求項１乃至請求項５のいずれか１項に記載の釣服に於て、前記パッドが、該パッドを収納する収納部の外形形状に沿って形成されていることを特徴とする。
【発明の効果】
【００１２】
請求項１，請求項２及び請求項６に係る発明によれば、膝を曲げ伸ばしたり膝をついた状態で身体を動かしたりしても、パッドが収納部内でずれたり角が捲れて部分的に重なりあって小さく丸まってずれてしまうことがないため、長期に亘ってパッドによる確実な緩衝機能が得られる利点を有する。
【００１３】
また、請求項３に係る発明によれば、パッドの周縁部が間隔を空けて複数箇所で止着されているため、身体を動かしたり膝を曲げたりしたときに、ズボン本体の動きに規制されることなくパッドが自在に伸びて圧迫感を感じることがない。
【００１４】
そして、請求項４及び請求項５に係る発明によれば、パッドが止着片や補強片を介して止着されているため、パッドを直接縫着した場合に比しパッドに縫着による縫い目が広がることがなく、パッドの破損が防止できる利点を有する。
【発明を実施するための最良の形態】
【００１５】
以下、本発明の実施形態を図面に基づいて詳細に説明する。
【００１６】
図１乃至図４は請求項１，請求項３，請求項４及び請求項６に係る発明を釣服のズボンに適用した一実施形態を示し、図中、１は防水，透湿性を有する樹脂シートからなる表地３と、その内側に配された例えばメッシュ状の裏地５とで形成されたズボン本体（服本体）で、図２に示すように左右の裾部７の後側に設けた上下方向の切欠きにファスナ９が開閉可能に縫着され、ファスナ９を開くと、裾部７が広がって容易に足を通してズボン本体１の脱ぎ履きができるようになっている。
【００１７】
そして、図１及び図２に示すようにズボン本体１の左右の膝部１１と臀部１３に、パッド１５，１７，１９を備えた緩衝部２１，２３が設けられている。
【００１８】
即ち、図２及び図３に示すように臀部１３には、ズボン本体１の表地３と同一素材からなる正面略矩形に裁断された１枚の臀当て（当て部材）２５を臀部１３の左右に亘って表面に当てがい、その周縁部全周をズボン本体１（表地３と裏地５）に縫着して、臀当て２５とズボン本体１とからなる袋状の収納部２７が形成されている。そして、該収納部２７内にパッド１９が収納されて臀部１３側の緩衝部２３が形成されている。
【００１９】
前記パッド１５，１７，１９は、クロロプレンゴム等のゴムやウレタン等の合成樹脂の発泡材シートからなり、本実施形態では、図３及び図４に示すように、独立気泡発泡体のクロロプレンゴムシート２９とこの両面にナイロン等の合成樹脂繊維の織布３１が貼着された発泡ゴムシートを用いている。このため、パッド１５，１７，１９はズボン本体１の表地３より大きな伸縮性を有し、身体の動きを窮屈にしないように柔軟性を有している。
【００２０】
そして、図２に示すようにパッド１９は、収納部２７の外形形状（臀当て２５の縫着線）に沿って裁断されているが、図２及び図３に示すようにパッド１９の周縁部の４箇所、即ち、パッド１９の各辺の中央に止着片３３が間隔を空けて取り付けられており、パッド１９は各止着片３３を介してズボン本体１の表地３に縫着されて収納部２７内でのズレ（移動）が規制されている。
【００２１】
前記各止着片３３は、例えばパッド１９よりも伸びの少ないナイロン等の合成樹脂繊維の織布を短冊状に裁断して、図３の如く両端でパッド１９を挟んでその表裏に縫着し、パッド１９の外方へ突出させた折り返し部を表地３側に縫着することで、パッド１９の複数箇所を夫々表地３に固定している。
【００２２】
このようにパッド１９の固定に当たり止着片３３を用いることで、パッド１９を直接表地３に縫着する場合に比し、パッド１９に縫着による縫い目が広がることを防止している。
【００２３】
一方、図１及び図４に示すように膝部１１に設けた緩衝部２１は、前記臀当て２５と同一素材からなる正面視ホームベース形状に裁断された１枚の膝当て（当て部材）３５を、夫々、左右の膝部１１の表面に当てがい、その周縁部全周と横方向２箇所をズボン本体１（表地３と裏地５）に縫着して、該膝当て３５とズボン本体１とからなる３つの袋状の収納部３７，３９が上下方向に区画形成されている。
【００２４】
図１に示すように上側の２つの収納部３７は正面視矩形状に形成され、下側の収納部３９は正面視三角形状に形成されている。そして、各収納部３７，３９内にパッド１５，１７が収納されて膝部１１側の緩衝部２１が形成されており、上側の２つの収納部３７内に収納されたパッド１５は収納部３７の外形形状に沿って正面視矩形状に裁断され、下側の収納部３９内に収納されたパッド１５は収納部３９の外形形状に沿って正面視三角形状に裁断されている。
【００２５】
そして、図１及び図４に示すようにパッド１５の各辺の中央に止着片３３が間隔を空けて取り付けられており、パッド１５は各止着片３３を介してズボン本体１の表地３に縫着されて収納部３７内でのズレ（移動）が規制されている。
【００２６】
同様に、パッド１７の各辺の中央に止着片３３が間隔を空けて取り付けられており、パッド１７は各止着片３３を介してズボン本体１の表地３に縫着されて収納部３９内でのズレ（移動）が規制されている。そして、前記緩衝部２３と同様、止着片３３はナイロン等の合成樹脂繊維の織布を短冊状に裁断して、図４の如く両端でパッド１５，１７を挟んでその表裏に縫着し、パッド１５，１７の外方へ突出させた折り返し部を表地３側に縫着することで、パッド１５，１７の複数箇所を夫々表地３に固定している。
【００２７】
本実施形態に係るズボン４１はこのように構成されており、釣場に於て、釣人が膝をついたり腰を下ろしたりする場合、緩衝部２１，２３内のパッド１５，１７，１９が釣人の膝や臀を保護するが、既述したようにパッド１５，１７，１９は各収納部３７，３９，２７の外形形状に沿って裁断され、而も、止着片３３を介して各収納部３７，３９，２７内で表地３に止着されているため、膝を曲げ伸ばしたり、膝をついた状態で身体を動かしたりしてもパッド１５，１７，１９が各収納部３７，３９，２７内でずれたり、角が捲れて部分的に重なりあって小さく丸まってずれてしまうことがない。また、膝部１１は細かく収納部３７，３９が分かれているため、膝が曲げ易い。
【００２８】
そして、パッド１５，１７，１９は周縁部全周が止着されず、止着片３３を介して夫々の周縁部が間隔を空けて複数箇所で止着され、而も、それらの中央も止着されていないため、身体を動かしたり膝を曲げたりしたときに、パッド１５，１７，１９に比し伸びの少ない表地３によってパッド１５，１７，１９の伸びが規制されず、ズボン本体１の動きに規制されることなくパッド１５，１７，１９が自在に伸びて圧迫感を感じることがない。
【００２９】
また、パッド１５，１７，１９を各収納部３７，３９，２７内で表地３に止着するに当たり、止着片３３を用いているため、パッド１５，１７，１９を直接表地３に縫着した場合に比し、パッド１５，１７，１９に縫着による縫い目が広がることが防止される。
【００３０】
このように本実施形態によれば、
(1)膝を曲げ伸ばしたり、膝をついた状態で身体を動かしたりしても、パッド１５，１７，１９が各収納部３７，３９，２７内でずれたり角が捲れて部分的に重なりあって小さく丸まってずれてしまうことがないため、長期に亘ってパッド１５，１７，１９による確実な緩衝機能が得られる。
【００３１】
(2)パッド１５，１７，１９の周縁部が間隔を空けて複数箇所で止着されているため、身体を動かしたり膝を曲げたりしたときに、ズボン本体１の動きに規制されることなくパッド１５，１７，１９が自在に伸びて圧迫感を感じることがない。
【００３２】
そして、
(3)パッド１５，１７，１９が止着片３３を介して止着されているため、パッド１５，１７，１９を直接表地３に縫着した場合に比し、パッド１９に縫着による縫い目が広がることがなく、パッド１５，１７，１９の破損が防止できる利点を有する。
【００３３】
尚、前記実施形態では、止着片３３を介してパッド１５，１７，１９を表地３に止着したが、パッド１５，１７，１９を止着片３３を介して膝当て３５や臀当て２５側に止着した後、膝当て３５や臀当て２５をズボン本体１の膝部１１や臀部１３に縫着してもよい。
【００３４】
図５乃至図８は請求項２，請求項３，請求項５及び請求項６に係る発明を同じく釣服のズボンに適用した一実施形態を示し、図５及び図６に示すように本実施形態も、ズボン本体４３の左右の膝部１１と臀部１３に、前記パッド１５，１７，１９を備えた緩衝部４５，４７を設けたものであるが、図６及び図７に示すように本実施形態は、先ず、ズボン本体４３を構成する臀部１３の表地３と裏地５との間にパッド１９に沿った収納部４９を形成し、該収納部４９内でパッド１９を裏地５に止着して緩衝部４７を形成したものである。
【００３５】
而して、パッド１９の周縁部の表裏全周は、前記止着片３３と同一素材からなる帯状の補強片５１で覆われており、図６に示すようにパッド１９は、該補強片５１を介して周縁部が間隔を空けて複数箇所で糸５３で裏地５に縫着されている。
【００３６】
同様に、図５及び図８に示すようにズボン本体４３の膝部１１には、表地３と裏地５を糸５３で縫着して、これらの間にパッド１５，１７に沿った３つの袋状の収納部５５，５７９が上下方向に区画形成されている。
【００３７】
そして、上側の２つの収納部５５内にパッド１５が収納され、下側の収納部５７内にパッド１７が収納されて膝部１１側の緩衝部４５が構成されており、図５及び図８に示すようにパッド１５，１７の周縁部の表裏全周は夫々補強片５１で覆われ、パッド１５，１７は、該補強片５１を介して周縁部が間隔を空けて複数箇所で糸５３で裏地５に縫着されている。
【００３８】
本実施形態に係るズボン５９はこのように構成されており、釣人が膝をついたり腰を下ろしたりする場合、緩衝部４５，４７内のパッド１５，１７，１９が釣人の膝や臀を保護するが、パッド１５，１７，１９は各収納部５５，５７，４９内で裏地５に止着されているため、膝を曲げ伸ばしたり、膝をついた状態で身体を動かしたりしてもパッド１５，１７，１９が各収納部５５，５７，４９内でずれたり、角が捲れて部分的に重なりあって小さく丸まってずれてしまうことがない。
【００３９】
そして、パッド１５，１７，１９は周縁部全周が止着されず、補強片５１を介して周縁部が間隔を空けて複数箇所で止着され、而も、それらの中央も止着されていないため、身体を動かしたり膝を曲げたりしたときに、パッド１５，１７，１９に比し伸びの少ない裏地５によってパッド１５，１７，１９の伸びが規制されず、ズボン本体４３の動きに規制されることなくパッド１５，１７，１９が自在に伸びて圧迫感を感じることがない。
【００４０】
また、パッド１５，１７，１９を各収納部５５，５７，４９内で裏地５に止着するに当たり、補強片５１を用いているため、パッド１５，１７，１９を直接裏地５に縫着した場合に比し、パッド１５，１７，１９に縫着による縫い目が広がることが防止される。
【００４１】
従って、本実施形態によっても、前記実施形態と同様、所期の目的を達成することが可能で、長期に亘ってパッド１５，１７，１９による確実な緩衝機能が得られる。
【００４２】
尚、前記実施形態では、補強片５１を介してパッド１５，１７，１９を裏地５に止着したが、パッド１５，１７，１９を表地５側に縫着してもよい。
【００４３】
また、既述した各実施形態は、請求項１乃至請求項６に係る発明を釣服のズボンに適用したが、釣服のジャケットの肘部に設ける緩衝部にも適用できることは勿論である。
【図面の簡単な説明】
【００４４】
【図１】請求項１，請求項３，請求項４及び請求項６の一実施形態に係るズボンの正面図である。
【図２】図１のズボンの背面図である。
【図３】臀部の緩衝部の断面図である。
【図４】膝部の緩衝部の断面図である。
【図５】請求項２，請求項３，請求項５及び請求項６の一実施形態に係るズボンの一部切欠き正面図である。
【図６】図５のズボンの一部切欠き背面図である。
【図７】臀部の緩衝部の断面図である。
【図８】膝部の緩衝部の断面図である。
【符号の説明】
【００４５】
１，４３  ズボン本体
３  表地
５  裏地
１１  膝部
１３  臀部
１５，１７，１９  パッド
２１，２３，４５，４７  緩衝部
２５  臀当て
２７，３７，３９，４９，５５，５７  収納部
２９  クロロプレンゴムシート
３１  織布
３３  止着片
３５  膝当て
４１，５９  ズボン
５１  補強片
５３  糸
【図１】
2010126836.tif 000003
【図２】
2010126836.tif 000004
【図３】
2010126836.tif 000005
【図４】
2010126836.tif 000006
【図５】
2010126836.tif 000007
【図６】
2010126836.tif 000008
【図７】
2010126836.tif 000009
【図８】
2010126836.tif 000010